【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
創傷被覆材を備える創傷治療装置であって、
前記創傷被覆材が、
三次元不織布構造に形成された少なくとも一つの不織布層であって、前記三次元不織布構造は、熱成形、化学結合、または真空形成によって形成される、少なくともひとつの不織布層を含む、スペーサー層と、
前記スペーサー層の上に位置付けられるカバー層と、
を備える、創傷治療装置。
【請求項２】
前記三次元不織布構造が、波型構造、ハニカム構造、直方体構造、卵ボックス構造、または、三次元ジグザグ構造を含む、請求項１に記載の創傷治療装置。
【請求項３】
前記スペーサー層が一以上の保持層をさらに備え、一以上の前記保持層が前記三次元不織布構造の上に位置付けられる、請求項１または２に記載の創傷治療装置。
【請求項４】
前記スペーサー層が一以上の保持層をさらに備え、一以上の前記保持層が前記三次元不織布構造の下に位置付けられる、請求項１〜３のいずれか一項に記載の創傷治療装置。
【請求項５】
前記三次元不織布構造が、熱成形不織布層を含む、請求項１〜４のいずれか一項に記載の創傷治療装置。
【請求項６】
前記三次元不織布構造が、熱可塑性繊維を含む、請求項１〜５のいずれか一項に記載の創傷治療装置。
【請求項７】
前記三次元不織布構造が、熱可塑性繊維およびその他の繊維の混紡を含む、請求項１〜６のいずれか一項に記載の創傷治療装置。
【請求項８】
前記その他の繊維は、ビスコース繊維、ゲル化可能繊維、バインダー繊維、および／または二成分繊維を含む、請求項７に記載の創傷治療装置。
【請求項９】
前記三次元不織布構造が、熱可塑性繊維から本質的に成る、請求項１〜８のいずれか一項に記載の創傷治療装置。
【請求項１０】
前記少なくとも一つの三次元不織布構造が、２ｍｍ〜１０ｍｍの厚さを有する、請求項１〜９のいずれか一項に記載の創傷治療装置。
【請求項１１】
前記少なくとも一つの三次元不織布構造が、約３ｍｍの厚さを有する、請求項１〜１０のいずれか一項に記載の創傷治療装置。
【請求項１２】
前記不織布が、エアレイド、カーディング、またはメルトスピニングによって生成される、請求項１〜１１のいずれか一項に記載の創傷治療装置。
【請求項１３】
前記不織布が等方性である、請求項１〜１２のいずれか一項に記載の創傷治療装置。
【請求項１４】
前記不織布がポリプロピレンを含む、請求項１〜１３のいずれか一項に記載の創傷治療装置。
【請求項１５】
前記不織布が水流交絡される、請求項１〜１４のいずれか一項に記載の創傷治療装置。
【請求項１６】
前記創傷被覆材は、創傷滲出液を吸収するための吸収層をさらに含み、前記吸収層は前記スペーサー層の上に位置付けられる、請求項１〜１５のいずれか一項に記載の創傷治療装置。
【請求項１７】
前記創傷被覆材が、前記吸収層の上に位置付けられた第二のスペーサー層をさらに含む、請求項１６に記載の創傷治療装置。
【請求項１８】
前記スペーサー層が、第一の熱成形された不織布層および前記第一の熱成形された不織布層の上に配置された第二の熱成形された布層をさらに含む、請求項１〜１７のいずれか一項に記載の創傷治療装置。
【請求項１９】
前記スペーサー層が、三次元編みまたは布層をさらに含む、請求項１〜１８のいずれか一項に記載の創傷治療装置。
【請求項２０】
ポンプと、
前記カバー層のオリフィスを通して創傷部位に陰圧を印加するための吸引ポートと、をさらに備える、請求項１〜１９のいずれか一項に記載の創傷治療装置。
【手続補正２】
【補正対象書類名】明細書
【補正対象項目名】０２６５
【補正方法】変更
【補正の内容】
【０２６５】
本発明を、その好ましい実施形態に関して説明してきたが、本明細書を読む際に、当業者にはその様々な修正が明らかとなることを理解されたい。したがって、本明細書に開示する本発明は、添付した特許請求の範囲内に入るような修正をカバーすることを意図するものと理解されたい。
［付記項１］
創傷治療装置であって、
創傷被覆材であって、
スペーサー層であって、
第一の繊維基層および相互接続された第一の繊維表面層を含む第一の不織布層であって、複数のチャネルは前記第一の繊維基層と前記第一の繊維表面層との間に配置される、第一の不織布層と、
第二の繊維基層および相互接続された第二の繊維表面層を含む第二の不織布層であって、複数のチャネルは前記第二の繊維基層と前記第二の繊維表面層との間に配置される、第二の不織布層と、を含み、
前記第二の不織布層は、前記第二の不織布の前記第二の繊維表面層が、前記第一の不織布の前記第一の繊維表面層の上に位置付けられるように、前記第一の不織布層の上に配置される、スペーサー層と、
前記スペーサー層の上に位置付けられるカバー層と、を備える、創傷被覆材を備える、創傷治療装置。
［付記項２］
前記第一または第二の不織布層の前記複数のチャネルのそれぞれが、前記第一および第二の不織布層の全長にわたって延びる、付記項１に記載の創傷治療装置。
［付記項３］
前記第一の不織布層の前記チャネルは、第一の方向に延び、前記第二の不織布層の前記チャネルは、第二の方向に延びる、付記項２に記載の創傷治療装置。
［付記項４］
前記第一の方向が前記第二の方向に平行である、付記項３に記載の創傷治療装置。
［付記項５］
前記第一の方向が前記第二の方向に対して垂直である、付記項３に記載の創傷治療装置。
［付記項６］
前記第二の不織布層の前記複数のチャネルが、前記第一の不織布層の前記複数のチャネルの上に直接配置される、付記項２〜４のいずれかに記載の創傷治療装置。
［付記項７］
前記第二の不織布層の前記複数のチャネルが、前記第一の不織布層の前記複数のチャネルからオフセットされている、付記項２〜４のいずれかに記載の創傷治療装置。
［付記項８］
前記第一および第二の不織布層の前記複数のチャネルのそれぞれが、約０．５ｍｍ〜約５ｍｍの直径を有する、付記項２〜７のいずれかに記載の創傷治療装置。
［付記項９］
前記第一および／または第二の不織布層の前記基層および前記表面層が、水流交絡されている、付記項１〜８のいずれかに記載の創傷治療装置。
［付記項１０］
前記第一および／または第二の不織布層の前記表面層が、親水性である、付記項１〜９のいずれかに記載の創傷治療装置。
［付記項１１］
前記第一および／または第二の不織布層の前記基層が、疎水性である、付記項１〜１０のいずれかに記載の創傷治療装置。
［付記項１２］
ポンプと、
前記カバー層のオリフィスを通して創傷部位に陰圧を印加するための吸引ポートと、をさらに備える、付記項１〜１１のいずれかに記載の創傷治療装置。
［付記項１３］
前記スペーサー層が、前記創傷治療装置に陰圧が印加されたときに開いたままになるよう構成される、付記項１〜１２のいずれかに記載の創傷治療装置。
［付記項１４］
創傷滲出液を吸収するための吸収層をさらに備え、前記吸収層が前記スペーサー層の上に位置付けられる、付記項１〜１３のいずれかに記載の創傷治療装置。
［付記項１５］
前記吸収層が、超吸収性粒子または繊維を含む不織布材料を含む、付記項１４に記載の創傷治療装置。
［付記項１６］
前記吸収層とカバー層との間に位置付けられたマスキング層をさらに備える、付記項１４に記載の創傷治療装置。
［付記項１７］
前記吸収層の上に位置付けられた第二のスペーサー層をさらに備え、前記第二のスペーサー層が、
第三の繊維基層および相互接続された第三の繊維表面層を含む第三の不織布層であって、複数のチャネルは前記第三の繊維基層と前記第三の繊維表面層との間に配置される、第三の不織布層と、
第四の繊維基層および相互接続された第四の繊維表面層を含む第四の不織布層であって、複数のチャネルは前記第四の繊維基層と前記第四の繊維表面層との間に配置される、第四の不織布層と、を含み、
前記第四の不織布層が、前記第四の不織布の前記第四の繊維表面層が前記第三の不織布の第三の繊維表面層と接触するように、前記第三の不織布層の上に配置される、付記項１４に記載の創傷治療装置。
［付記項１８］
前記カバー層がオリフィスを備える、付記項１〜１７のいずれかに記載の創傷治療装置。
［付記項１９］
前記カバー層が透湿性材料を含む、付記項１〜１８のいずれかに記載の創傷治療装置。
［付記項２０］
前記チャネルが丸み付きチャネルである、付記項１〜１９のいずれかに記載の創傷治療装置。
［付記項２１］
前記チャネルが長方形チャネルである、付記項１〜２０のいずれかに記載の創傷治療装置。
［付記項２２］
前記チャネルが三角形チャネルである、付記項１〜２１のいずれかに記載の創傷治療装置。
［付記項２３］
創傷被覆材で使用するためのスペーサー層であって、
第一の繊維基層および相互接続された第一の繊維表面層を含む第一の不織布層であって、複数のチャネルは前記第一の繊維基層と前記第一の繊維表面層との間に配置される、第一の不織布層と、
第二の繊維基層および相互接続された第二の繊維表面層を含む第二の不織布層であって、複数のチャネルは前記第二の繊維基層と前記第二の繊維表面層との間に配置される、第二の不織布層と、を含み、
前記第二の不織布層は、前記第二の不織布の前記第二の表面層が、前記第一の不織布の第一の表面層の上に位置付けられるように、前記第一の不織布層の上に配置される、創傷被覆材で使用するためのスペーサー層。
［付記項２４］
創傷を治療する方法であって、
創傷被覆材を提供することであって、
スペーサー層であって、
第一の繊維基層および相互接続された第一の繊維表面層を含む第一の不織布層であって、複数のチャネルは前記第一の繊維基層と前記第一の繊維表面層との間に配置される、第一の不織布層と、
第二の繊維基層および相互接続された第二の繊維表面層を含む第二の不織布層であって、複数のチャネルは前記第二の繊維基層と前記第二の繊維表面層との間に配置される、第二の不織布層と、を含み、
前記第二の不織布層は、前記第二の不織布の前記第二の表面層が、前記第一の不織布の第一の表面層の上に位置付けられるように、前記第一の不織布層の上に配置される、スペーサー層と、
前記スペーサー層の上に位置付けられ、オリフィスを備えるカバー層と、を備える創傷被覆材を提供することと、
創傷部位の上に前記被覆材を位置付けて、前記創傷部位の上に密閉された空洞を形成することと、
前記オリフィスを通して前記創傷部位に陰圧を印加して、前記スペーサー層を通して前記吸収層に流体を引き出すことと、を含む、創傷を治療する方法。
［付記項２５］
前記創傷被覆材は、創傷滲出液を吸収するための吸収層をさらに含み、前記吸収層は前記スペーサー層の上に位置付けられる、付記項２４に記載の方法。
［付記項２６］
創傷治療装置であって、
創傷被覆材であって、
スペーサー層であって、
三次元不織布構造に形成された少なくとも一つの不織布層であって、前記三次元不織布構造は、熱成形、化学結合、または真空形成によって形成される、少なくともひとつの不織布層を含む、スペーサー層と、
前記スペーサー層の上に位置付けられるカバー層と、を備える、創傷被覆材を備える、創傷治療装置。
［付記項２７］
前記三次元不織布構造が、熱成形によって形成される、付記項２６に記載の創傷治療装置。
［付記項２８］
前記三次元不織布構造が、化学結合によって形成される、付記項２６に記載の創傷治療装置。
［付記項２９］
前記三次元不織布構造が、真空形成によって形成される、付記項２６に記載の創傷治療装置。
［付記項３０］
前記三次元不織布構造が、波型構造を含む、付記項２６に記載の創傷治療装置。
［付記項３１］
前記三次元不織布構造が、ハニカム構造を含む、付記項２６に記載の創傷治療装置。
［付記項３２］
前記三次元不織布構造が、直方体構造を含む、付記項２６に記載の創傷治療装置。
［付記項３３］
前記三次元不織布構造が、卵ボックス構造を含む、付記項２６に記載の創傷治療装置。
［付記項３４］
前記三次元不織布構造が、三次元ジグザグ構造を含む、付記項２６に記載の創傷治療装置。
［付記項３５］
前記スペーサー層が一つまたは複数の保持層をさらに備え、前記一つまたは複数の保持層が前記三次元不織布構造の上に位置付けられる、付記項２６〜３４のいずれか一項に記載の創傷治療装置。
［付記項３６］
前記スペーサー層が一つまたは複数の保持層をさらに備え、前記一つまたは複数の保持層が前記三次元不織布構造の下に位置付けられる、付記項２６〜３５のいずれか一項に記載の創傷治療装置。
［付記項３７］
前記三次元不織布構造が、熱成形不織布層を含む、付記項２６〜３６のいずれか一項に記載の創傷治療装置。
［付記項３８］
前記三次元不織布構造が、熱可塑性繊維を含む、付記項２６〜３７のいずれか一項に記載の創傷治療装置。
［付記項３９］
前記三次元不織布構造が、熱可塑性繊維およびその他の繊維の混紡を含む、付記項２６〜３８のいずれか一項に記載の創傷治療装置。
［付記項４０］
前記その他の繊維は、ビスコース繊維、ゲル化可能繊維、バインダー繊維、および／または二成分繊維を含む、付記項３９に記載の創傷治療装置。
［付記項４１］
前記三次元不織布構造が、熱可塑性繊維から本質的に成る、付記項２６〜４０のいずれか一項に記載の創傷治療装置。
［付記項４２］
前記少なくとも一つの三次元不織布構造が、２〜１０ｍｍの厚さを有する、付記項２６〜４１のいずれか一項に記載の創傷治療装置。
［付記項４３］
前記少なくとも一つの三次元不織布構造が、約３ｍｍの厚さを有する、付記項２６〜４２のいずれか一項に記載の創傷治療装置。
［付記項４４］
前記不織布が、エアレイド、カーディング、またはメルトスピニングによって生成される、付記項２６〜４３のいずれか一項に記載の創傷治療装置。
［付記項４５］
前記不織布が等方性である、付記項２６〜４４のいずれか一項に記載の創傷治療装置。
［付記項４６］
前記不織布がポリプロピレンを含む、付記項２６〜４５のいずれか一項に記載の創傷治療装置。
［付記項４７］
前記不織布が水流交絡される、付記項２６〜４６のいずれか一項に記載の創傷治療装置。
［付記項４８］
前記創傷被覆材は、創傷滲出液を吸収するための吸収層をさらに含み、前記吸収層は前記スペーサー層の上に位置付けられる、付記項２６〜４７のいずれか一項に記載の創傷治療装置。
［付記項４９］
前記創傷被覆材が、前記吸収層の上に位置付けられた第二のスペーサー層をさらに含む、付記項４８に記載の創傷治療装置。
［付記項５０］
前記スペーサー層が、第一の熱成形された不織布層および前記第一の熱成形された不織布層の上に配置された第二の熱成形された布層をさらに含む、付記項２６〜４９のいずれか一項に記載の創傷治療装置。
［付記項５１］
前記スペーサー層が、三次元編みまたは布層をさらに含む、付記項２６〜５０のいずれか一項に記載の創傷治療装置。
［付記項５２］
ポンプと、
前記カバー層の前記オリフィスを通して創傷部位に陰圧を印加するための吸引ポートと、をさらに備える、付記項２６〜５１のいずれか一項に記載の創傷治療装置。
［付記項５３］
創傷を治療するための、付記項２６〜５２のいずれかに記載の創傷治療装置を使用する方法。
［付記項５４］
創傷被覆材で使用するためのスペーサー層であって、
三次元構造を含む少なくとも一つの熱成形不織布層を含み、
前記熱成形された不織布が、熱可塑性繊維を含む、スペーサー層。
［付記項５５］
創傷を治療する方法であって、
創傷部位の上に被覆材を位置付けて、前記創傷部位の上に密閉された空洞を形成することであって、前記被覆材は、
三次元不織布構造に形成された少なくとも一つの不織布層を含むスペーサー層であって、前記三次元不織布構造は、熱成形、化学結合、または真空形成によって形成される、少なくともひとつの不織布層を含む、スペーサー層と、
前記スペーサー層の上に重なるカバー層と、を備える、形成することと、
前記創傷部位に陰圧を印加して、前記スペーサー層を通して流体を引き出すことと、を含む、創傷を治療する方法。
［付記項５６］
前記被覆材は、創傷滲出液を吸収するための吸収層をさらに含み、前記吸収層は前記スペーサー層の上に位置付けられる、付記項５５に記載の方法。
［付記項５７］
前記カバー層は、オリフィスを備え、陰圧は前記オリフィスを通して前記創傷部位に印加される、付記項５５または５６のいずれか一項に記載の方法。